(57)【要約】【課題】マクロ撮影時に、専用の駆動源を用いることなく絞り動作を行うようにして、構造の簡素化、部品点数の削減、小型化、低コスト化等を図る。【解決手段】レンズを保持して光軸方向に移動させられる可動レンズ筒３０、可動レンズ筒を光軸方向に移動させるべく回転によりカム作用を及ぼすカム筒１０、可動レンズ筒に対して光軸に垂直な面内で移動自在に保持されると共に光を通す開口部を絞る絞り位置と非絞り位置との間を移動する絞り羽根６１を含む絞り機構６０を備え、絞り機構６０は、マクロ撮影時において、カム筒により可動レンズ筒が光軸方向に移動させられてマクロ撮影位置に位置付けられる動作に連動して絞り羽根を絞り位置に位置付ける連動機構Ｍを含む。これによれば、専用の駆動源を用いることなく絞り動作を行うことができ、構造の簡素化、部品点数の削減、小型化、低コスト化等を達成できる。【選択図】図１７
2014119582.tif 000002
【特許請求の範囲】
【請求項１】
レンズを保持して光軸方向に移動させられる可動レンズ筒と、前記可動レンズ筒を光軸方向に移動させるべく回転によりカム作用を及ぼすカム筒と、前記可動レンズ筒に対して光軸に垂直な面内で移動自在に保持されると共に光を通す開口部を絞る絞り位置と非絞り位置との間を移動する絞り羽根を含む絞り機構と、を備えたレンズ駆動装置であって、
前記絞り機構は、マクロ撮影時において、前記カム筒により前記可動レンズ筒が光軸方向に移動させられてマクロ撮影位置に位置付けられる動作に連動して前記絞り羽根を前記絞り位置に位置付ける連動機構を含む、
ことを特徴とするレンズ駆動装置。
【請求項２】
前記連動機構は、前記可動レンズ筒に対して光軸に垂直な径方向に往復動自在に保持されると共に前記カム筒との係合により駆動されるスライドレバーと、前記可動レンズ筒に対して光軸方向に往復動自在に保持されると共に前記スライドレバーに連結されて前記スライドレバーの動作に連動して駆動される可動ロッドと、前記可動レンズ筒に対して光軸に平行な軸線回りに回動自在に保持されると共に前記絞り羽根に連結されて前記可動ロッドに連動して前記絞り位置及び非絞り位置に対応する位置に移動する揺動アームと、を含む、
ことを特徴とする請求項１に記載のレンズ駆動装置。
【請求項３】
前記連動機構は、前記スライドレバーを径方向外向きに移動させるべく前記可動ロッド又はスライドレバーに付勢力を及ぼす第１付勢バネと、前記絞り羽根を前記絞り位置に向けて移動させるべく前記揺動アーム又は絞り羽根に付勢力を及ぼす第２付勢バネと、を含み、
前記揺動アームは、前記スライドレバーが前記第１付勢バネの付勢力により径方向外向きに移動した状態で前記可動ロッドが係合して回転力が及ぼされることにより前記第２付勢バネの付勢力に抗しつつ前記絞り羽根を前記非絞り位置に位置付け、前記スライドレバーが前記第１付勢バネの付勢力に抗しつつ径方向内向きに移動して前記可動ロッドが離脱することにより前記第２付勢バネの付勢力で前記絞り羽根を前記絞り位置に位置付けるように形成されている、
ことを特徴とする請求項２に記載のレンズ駆動装置。
【請求項４】
前記可動レンズ筒は、その外周において光軸に垂直な径方向に突出する複数のフォロワピンを有し、
前記カム筒は、前記複数のフォロワピンに対して光軸方向にカム作用を及ぼす複数のカム溝を有し、
前記複数のフォロワピンの一つは、光軸に垂直な方向に貫通する貫通孔を有し、
前記スライドレバーは、前記貫通孔に移動自在に嵌合されて前記フォロワピンの先端から突出し得る突出ピン部を含み、
前記複数のカム溝の一つは、前記突出ピン部を前記フォロワピンの先端側から径方向内向きに移動させるべく、その溝底よりも浅く形成されて前記突出ピン部に係合し得る係合部を有する、
ことを特徴とする請求項３に記載のレンズ駆動装置。
【発明の詳細な説明】
【技術分野】
【０００１】
本発明は、撮影時に所定の絞り値に設定し得る絞り機構を備えたカメラのレンズ駆動装置に関し、特に、至近距離にて被写体を撮影するマクロ撮影時に絞り動作を行う絞り機構を備えたカメラのレンズ駆動装置に関する。
【背景技術】
【０００２】
従来のマクロ撮影が可能なカメラとしては、広角端と望遠端との間で光軸方向に移動可能な第１レンズ群及び第２レンズ群、第１レンズ群及び第２レンズ群をズーム駆動するレンズ群駆動機構、第１レンズ群と一緒に光軸方向に移動する絞り機構（絞り羽根、絞り駆動機構等）を備え、マクロ撮影時には、レンズ群駆動機構により第１レンズ群及び第２レンズ群を広角端に位置付けると共に、絞り機構に含まれる絞り駆動機構により絞り羽根を作動させて極小絞りの状態に絞ると共に、シャッタボタンに連動させてストロボを発光させるようにしたマクロ撮影可能なカメラが知られている（例えば、特許文献１を参照）。
【０００３】
このカメラにおいて、マクロ撮影モードが選択されると、レンズ群駆動機構により、第１レンズ群及び第２レンズ群が駆動されて広角端に位置付けられると共に、専用の絞り駆動機構により、複数枚の絞り羽根が虹彩状に作動させられて極小絞りの状態に位置付けられるようになっている。
すなわち、絞り動作は、レンズ群駆動機構とは別個に設けられた専用の絞り駆動機構により行われる構成であり、又、ズーム駆動と絞り駆動を同期させるための専用の制御信号等が必要になるため、部品点数の増加を招くと共に構造が複雑であり、制御シーケンス等も複雑になる。
【先行技術文献】
【特許文献】
【０００４】
【特許文献１】特開平１１−１０９４３６号公報
【発明の概要】
【発明が解決しようとする課題】
【０００５】
本発明は、上記の事情に鑑みて成されたものであり、その目的とするところは、構造の簡素化、部品点数の削減、小型化、低コスト化等を図りつつ、マクロ撮影時において可動レンズ筒の移動に連動させて絞り動作を行うことで鮮明なマクロ撮影を行えるカメラのレンズ駆動装置を提供することにある。
【課題を解決するための手段】
【０００６】
本発明のレンズ駆動装置は、レンズを保持して光軸方向に移動させられる可動レンズ筒と、可動レンズ筒を光軸方向に移動させるべく回転によりカム作用を及ぼすカム筒と、可動レンズ筒に対して光軸に垂直な面内で移動自在に保持されると共に光を通す開口部を絞る絞り位置と非絞り位置との間を移動する絞り羽根を含む絞り機構と、を備えたレンズ駆動装置であって、上記絞り機構は、マクロ撮影時において、カム筒により可動レンズ筒が光軸方向に移動させられてマクロ撮影位置に位置付けられる動作に連動して絞り羽根を絞り位置に位置付ける連動機構を含む、ことを特徴としている。
この構成によれば、マクロ撮影時において、可動レンズ筒がカム筒のカム作用により光軸方向に移動させられてマクロ撮影位置に位置付けられると、その動作に連動して、絞り羽根が絞り位置に位置付けられて開口部を所定の口径に絞る。
このように、絞り機構は、可動レンズ筒の光軸方向への移動動作に連動して絞り羽根を絞り位置に位置付けるように作用する連動機構を含むため、専用の駆動源等が不要であり、構造の簡素化、部品点数の削減、小型化、低コスト化等を達成でき、又、機械的な連動関係により、可動レンズ筒のマクロ撮影位置への移動に連動させて絞り羽根を絞り位置へ確実に移動させて位置付けることができ、それ故に、至近距離でのマクロ撮影時に被写界深度を深くして鮮明な撮影画像を得ることができる。
【０００７】
上記構成において、連動機構は、可動レンズ筒に対して光軸に垂直な径方向に往復動自在に保持されると共にカム筒との係合により駆動されるスライドレバーと、可動レンズ筒に対して光軸方向に往復動自在に保持されると共にスライドレバーに連結されてスライドレバーの動作に連動して駆動される可動ロッドと、可動レンズ筒に対して光軸に平行な軸線回りに回動自在に保持されると共に絞り羽根に連結されて可動ロッドに連動して絞り位置及び非絞り位置に対応する位置に移動する揺動アームとを含む、構成を採用することができる。
この構成によれば、カム筒との係合によりスライドレバーが光軸に垂直な径方向に駆動されると、スライドレバーの動作に連動して可動ロッドが光軸方向に駆動され、可動ロッドの動作に連動して、揺動アームが絞り位置に対応する位置又は非絞り位置に対応する位置に移動して、絞り羽根が絞り位置又は非絞り位置に位置付けられる。
このように、連動機構が、可動レンズ筒にそれぞれ保持された、スライドレバー、可動ロッド、揺動アーム等により構成されるため、構造の簡素化、部品の集約化、小型化等を達成することができる。
【０００８】
上記構成において、連動機構は、スライドレバーを径方向外向きに移動させるべく可動ロッド又はスライドレバーに付勢力を及ぼす第１付勢バネと、絞り羽根を絞り位置に向けて移動させるべく揺動アーム又は絞り羽根に付勢力を及ぼす第２付勢バネとを含み、揺動アームは、スライドレバーが第１付勢バネの付勢力により径方向外向きに移動した状態で可動ロッドが係合して回転力が及ぼされることにより第２付勢バネの付勢力に抗しつつ絞り羽根を非絞り位置に位置付け、スライドレバーが第１付勢バネの付勢力に抗しつつ径方向内向きに移動して可動ロッドが離脱することにより第２付勢バネの付勢力で絞り羽根を絞り位置に位置付けるように形成されている、構成を採用することができる。
この構成によれば、スライドレバーが第１付勢バネの付勢力により径方向外向きに移動した状態で可動ロッドが揺動アームに係合して第２付勢バネの付勢力に抗しつつ絞り羽根を非絞り位置に位置づけ、一方、スライドレバーが第１付勢バネの付勢力に抗して径方向内向きに移動した状態で可動ロッドが揺動アームから離脱して第２付勢バネの付勢力により絞り羽根を絞り位置に位置づけることができる。
このように、スライドレバー及び可動ロッドは第１付勢バネにより常時付勢され、又、揺動アーム及び絞り羽根は第２付勢バネにより常時付勢されているため、通常の撮影（近景撮影〜遠景撮影）及び至近距離でのマクロ撮影の全撮影領域において、それらのガタツキを防止することができ、又、絞り羽根の位置ずれを防止できるが故に高精度な撮影画像を得ることができる。
【０００９】
上記構成において、可動レンズ筒は、その外周において光軸に垂直な径方向に突出する複数のフォロワピンを有し、カム筒は、複数のフォロワピンに対して光軸方向にカム作用を及ぼす複数のカム溝を有し、複数のフォロワピンの一つは、光軸に垂直な方向に貫通する貫通孔を有し、スライドレバーは、貫通孔に移動自在に嵌合されてフォロワピンの先端から突出し得る突出ピン部を含み、複数のカム溝の一つは、突出ピン部をフォロワピンの先端側から径方向内向きに移動させるべく、その溝底よりも浅く形成されて突出ピン部に係合し得る係合部を有する、構成を採用することができる。
この構成によれば、カム筒のカム溝がフォロワピンにカム作用を及ぼして、可動レンズ筒が光軸方向に移動させられてマクロ撮影位置に位置付けられる際に、一つのカム溝の溝底に形成された係合部がスライドレバーの突出ピン部を径方向内向きに押して移動させることで、可動ロッドが揺動アームから離脱して、絞り羽根が絞り位置に位置付けられる。
このように、スライドレバーに駆動力を及ぼす係合部を、カム筒のカム溝の一つに形成したことにより、カム筒に特別な構造を追加することなく、可動レンズ筒の光軸方向ねの移動動作と絞り羽根の絞り動作を連動させることができる。
また、スライドレバーの突出ピン部を一つのフォロワピンの貫通孔に通す形態としたことにより、可動レンズ筒に対してフォロワピン以外に特別な突出物を形成する必要が無く、従来の可動レンズ筒と同様の形態を採用することができる。
【発明の効果】
【００１０】
上記構成をなすレンズ駆動装置によれば、構造の簡素化、部品点数の削減、低コスト化等を達成しつつ、マクロ撮影時において可動レンズ筒の移動に連動させて絞り動作を行うことで鮮明なマクロ撮影を行えるレンズ駆動装置を得ることができる。
【図面の簡単な説明】
【００１１】
【図１】本発明に係るレンズ駆動装置の一実施形態を示す分解斜視図である。
【図２】本発明に係るレンズ駆動装置が沈胴位置にある状態を示す断面図である。
【図３】本発明に係るレンズ駆動装置がマクロ撮影位置にある状態（繰り出し状態）を示す断面図である。
【図４】本発明に係るレンズ駆動装置の主要部を示す分解斜視図である。
【図５】本発明に係るレンズ駆動装置に含まれるカム筒を示す斜視図である。
【図６】図５に示すカム筒の内周面を示す展開図である。
【図７】本発明に係るレンズ駆動装置に含まれる絞り・シャッタユニット（地板、中間板、カバー板、絞り羽根、連動機構の一部（揺動アーム、第２付勢バネ）シャッタ羽根、連結レバー、駆動源等）を示す分解斜視図である。
【図８】本発明に係るレンズ駆動装置の一部をなす可動レンズ筒において、絞り・シャッタユニットを省略した正面図である。
【図９】本発明に係るレンズ駆動装置の一部をなす可動レンズ筒において、絞り・シャッタユニットを省略した背面図である。
【図１０】本発明に係るレンズ駆動装置に含まれる連動機構（スライドレバー、可動ロッド、第１付勢バネ等）を示すものであり、（ａ），（ｂ）はスライドレバーの突出ピン部がフォロワピンの先端から径方向外向きに突出した状態を示す部分断面図である。
【図１１】本発明に係るレンズ駆動装置に含まれる連動機構（スライドレバー、可動ロッド、第１付勢バネ）を示すものであり、（ａ），（ｂ）はスライドレバーの突出ピン部がフォロワピンの先端側から径方向内向きに移動した状態を示す部分断面図である。
【図１２】本発明に係るレンズ駆動装置に含まれるシャッタ機構においてシャッタ羽根が開放位置にある（地板、中間板を省略した）状態を示す背面図である。
【図１３】本発明に係るレンズ駆動装置に含まれるシャッタ機構においてシャッタ羽根が閉鎖位置にある（地板、中間板を省略した）状態を示す背面図である。
【図１４】本発明に係るレンズ駆動装置に含まれる絞り機構（絞り羽根、揺動アーム、第２付勢バネ等）において絞り羽根が非絞り位置にある状態を示す正面図である。
【図１５】本発明に係るレンズ駆動装置に含まれる絞り機構（絞り羽根、揺動アーム、第２付勢バネ等）において絞り羽根が絞り位置にある状態を示す正面図である。
【図１６】本発明に係るレンズ駆動装置に含まれる絞り機構（絞り羽根、連動機構（スライドレバー、第１付勢バネ、可動ロッド、揺動アーム、第２付勢バネ））において、絞り羽根が非絞り位置にある（地板を省略した）状態を示す部分斜視断面図である。
【図１７】本発明に係るレンズ駆動装置に含まれる絞り機構（絞り羽根、連動機構（スライドレバー、第１付勢バネ、可動ロッド、揺動アーム、第２付勢バネ））において、絞り羽根が非絞り位置にある（地板を省略した）状態を示す部分斜視断面図である。
【図１８】本発明に係るレンズ駆動装置に含まれる絞り機構（絞り羽根、連動機構（スライドレバー、第１付勢バネ、可動ロッド、揺動アーム、第２付勢バネ））において、絞り羽根が絞り位置にある（地板を省略した）状態を示す部分斜視断面図である。
【図１９】本発明に係るレンズ駆動装置に含まれる絞り機構（絞り羽根、連動機構（スライドレバー、第１付勢バネ、可動ロッド、揺動アーム、第２付勢バネ））において、絞り羽根が絞り位置にある（地板を省略した）状態を示す部分斜視断面図である。
【発明を実施するための形態】
【００１２】
以下、本発明の実施形態について、添付図面を参照しつつ説明する。
この実施形態に係るレンズ駆動装置は、例えば単焦点式のカメラに搭載されるものであり、図１ないし図３に示すように、カメラ本体（不図示）に固定される固定筒１、固定筒１の内側に配置される回転筒２、回転筒２を回転駆動する駆動源３、回転筒２の内側に配置される第１キー筒４、回転筒２及び第１キー筒４の内側に配置されるカム筒１０、カム筒１０の内側に配置される第２キー筒２０、カム筒１０の内側に配置される可動レンズ筒３０、可動レンズ筒３０の内側に固定された絞り・シャッタユニットＵ等を備えている。
また、絞り・シャッタユニットＵは、図４及び図７に示すように、ベース４０（レンズＧ２を保持する地板４１、中間板４２、レンズＧ１を保持するカバー板４３）、シャッタ機構５０（シャッタ羽根５１，５２、連結レバー５３、駆動源５４）、絞り機構６０（絞り羽根６１、連動機構Ｍの一部をなす揺動アーム６４及び第２付勢バネ６６）等を備えている。
さらに、可動レンズ筒３０は、図４、図８及び図９に示すように、絞り機構６０に含まれる連動機構Ｍの一部をなす、スライドレバー６２、可動ロッド６３、第１付勢バネ６５）等を備えている。
【００１３】
固定筒１は、図１ないし図３に示すように、その内周面において、ヘリコイド１ａ、光軸Ｌ方向に伸長して第１キー筒４の係合片４ａを受け入れるガイド溝１ｂ、駆動源３の駆動歯車３ａを受け入れる開口部１ｃ等を備えている。
回転筒２は、その外周後方領域において固定筒１のヘリコイド１ａに螺合すると共に駆動歯車３ａに螺合する歯付ヘリコイド２ａ、その内周面においてカム筒１０の突出ピン１２を受け入れて光軸Ｌ方向にガイドする３つのガイド溝２ｂ等を備えている。
そして、回転筒２は、駆動源３により回転力が及ぼされることで、光軸Ｌ回りに回転しつつ固定筒１に対して光軸Ｌ方向に移動するように形成されている。
第１キー筒４は、その外周後方端において径方向に突出すると共に固定筒１のガイド溝１ｂに係合する係合片４ａを備え、又、その内周面において、ヘリコイド４ｂ、第２キー筒２０の係合片２２を受け入れて光軸Ｌ方向にガイドするガイド溝４ｃ、カム筒１０の突出ピン１２を通して回転筒２のガイド溝２ｂに導くべく形成された３つの傾斜長孔４ｄ等を備えている。
そして、第１キー筒４は、固定筒１により光軸Ｌ回りの回転が規制されつつ回転筒２と一体的に光軸Ｌ方向に移動するように形成されている。
【００１４】
カム筒１０は、その外周において、第１キー筒４のヘリコイド４ｂと螺合するヘリコイド１１、第１キー筒４の傾斜長孔４ｄを通して回転筒２のガイド溝２ｂに挿入される複数（３つ）の突出ピン１２を備え、その内側において、可動レンズ筒３０（のフォロワピン３１）に対して光軸Ｌ方向にカム作用を及ぼす複数（６つ）のカム溝１３を備えている。  そして、カム筒１０は、回転筒２の回転により、ガイド溝２ｂ→突出ピン１２に駆動力が及ぼされて光軸Ｌ回りに回転しつつ、光軸Ｌ方向に移動するように形成されている。
ここで、複数（６つ）のカム溝１３は、図６に示すように、光軸Ｌ方向におけるカム作用が全て同一となるプロフィルをなすと共に、溝底１３ａを有する略Ｖ字状断面をなすように形成されており、挿入側から奥に移行するに連れて、フォロワピン３１を、沈胴位置Ｐｏ→遠景撮影位置Ｐｆ→近景撮影位置Ｐｎ→マクロ撮影位置Ｐｍに位置付けるように形成されている。
また、一つのカム溝１３には、図６に示すように、マクロ撮影位置Ｐｍに対応する領域において、溝底１３ａよりも浅く形成されてスライドレバー６２の突出ピン部６２ａに係合して突出ピン部６２ａを径方向内向きに押し込むように作用する係合部１３ｂが形成されている。
【００１５】
第２キー筒２０は、図４に示すように、フォロワピ３１を受け入れると共に光軸Ｌ方向に伸長して形成された６つのガイド長孔２１、第１キー筒４のガイド溝４ｃに挿入される３つの係合片２２等を備えている。ここで、６つのガイド長孔２１においては、３つのガイド長孔２１が３つのフォロワピン３１の付け根部に設けられた３つの拡径部３２をそれぞれ摺動自在に嵌め込んで光軸Ｌ方向に案内するように形成され、他の３つのガイド長孔２１は、フォロワピン３１を所定の隙間をおいて挿入するように形成されている。
そして、第２キー筒２０は、固定筒１及び第１キー筒４を介して光軸Ｌ回りの回転が規制されつつ、カム筒１０と一体的に光軸Ｌ方向に移動するようになっている。
【００１６】
可動レンズ筒３０は、図４、図８ないし図１１に示すように、円筒状に形成されており、その外周後方側において、光軸Ｌに垂直な径方向外向きに突出する６つのフォロワピン３１、３つのフォロワピン３１の付け根領域に形成された３つの拡径部３２、その内側に形成された環状板部３３、一つのフォロワピン３１において光軸Ｌに垂直な径方向Ｖに貫通する貫通孔３４、可動ロッド６２を光軸Ｌ方向（光軸Ｌと平行な方向Ｈ）に移動自在にガイドするガイド孔３５、絞り・シャッタユニットＵを固定するためのネジ穴３６等を備えている。
【００１７】
地板４１は、図７に示すように、略円板状に形成されており、光を通す円形の開口部４１ａ、レンズＧ２を保持するレンズ保持部４１ｂ、連結レバー５３の一部及び駆動源５４の駆動ピン５４ａを移動自在に受け入れる貫通孔４１ｃ、駆動源５４を取り付ける取付け部４１ｄ、連結レバー５３の連結ピン部５３ｃを移動自在に通す円弧状の長孔４１ｅ、シャッタ羽根５１，５２を回動自在に支持する支軸４１ｆ，４１ｇ、絞り羽根６１を回動自在に支持する支軸４１ｈ、揺動アーム６４を揺動自在に支持する支軸４１ｉ、揺動アーム６４の一部を移動自在に受け入れる貫通孔４１ｊ、第２付勢バネ６６を取り付ける取付け部４１ｋ、中間板４２を挟み込んだ状態でカバー板４３をネジＢにより締結する４つのボス部４１ｍ等を備えている。
【００１８】
中間板４２は、図７に示すように、略平板状に形成されており、光を通す円形の開口部４２ａ、連結ピン５３ｃを移動自在に通す円弧状の長孔４２ｅ、支軸４１ｆ，４１ｇを通す円孔４２ｆ，４２ｇ、支軸４１ｈを通す円孔４２ｈ、揺動アーム６４の連結ピン部６４ｃを移動自在に通す円弧状の長孔４２ｎ等を備えている。
開口部４２ａは、地板４１の開口部４１ａ及びカバー板４３の開口部４３ａよりも若干小径に形成されており、実質的に光を通す口径を規定するものである。
したがって、シャッタ羽根５１，５２及び絞り羽根６１は、開口部４２ａに対して、実質的な開閉動作（シャッタ動作）及び絞り動作を行うものである。
カバー板４３は、図７に示すように、光を通す円形の開口部４３ａ、レンズＧ１を保持するレンズ保持部４３ｂ、地板４１のボス部４１ｍに捩じ込むネジＢを通す４つのネジ孔４３ｃ、支軸４１ｆ，４１ｇ，４１ｈの先端部を嵌め込むための嵌合穴（不図示）等を備えている。
【００１９】
シャッタ羽根５１は、図７に示すように、支軸４１ｆを通す円孔５１ａ、連結レバー５３の連結ピン部５３ｃを通す長孔５１ｂを備えている。
シャッタ羽根５２は、図７に示すように、支軸４１ｇを通す円孔５２ａ、連結レバー５３の連結ピン部５３ｃを通す長孔５２ｂを備えている。
連結レバー５３は、図７に示すように、支軸４１ｃが通される円孔５３ａ、駆動源５４の駆動ピン５４ａが連結される連結孔５３ｂ、シャッタ羽根５１，５２の長孔５１ｂ，５２ｂに挿入されて連結される連結ピン部５３ｃ等を備えている。
駆動源５４は、所定の角度範囲を回動して駆動力を出力するムービングマグネット型のモータであり、図７に示すように、連結レバー５３の連結孔５３ｂに挿入されて連結される駆動ピン５４ａを備えている。
そして、シャッタ羽根５１，５２は、駆動源５４及び連結レバー５３を介して回転駆動力が及ぼされることにより、互いに協働して、図１２に示すように開口部４３ａ（４１ａ，４２ａ）を全開にする開放位置と、図１３に示すように開口部４３ａ（４１ａ，４２ａ）を全閉にする閉鎖位置との間を移動してシャッタ動作を行うようになっている。
【００２０】
絞り羽根６１は、図７、図１４及び図１５に示すように、平板状に形成されており、支軸４１ｈを通す円孔６１ａ、揺動アーム６４の連結ピン６４ｃを通す長孔６１ｂ、所定の口径をなす絞り開口６１ｃを備えている。
そして、絞り羽根６１は、揺動アーム６４が揺動することで、図１４に示すように開口部４１ａ（４２ａ，４３ａ）を全開にする非絞り位置と、図１５に示すように絞り開口６１ｃにより開口部４１ａ（４２ａ，４３ａ）を所定の口径に絞る絞り位置との間を移動して絞り動作を行うようになっている。
【００２１】
スライドレバー６２は、図８ないし図１１に示すように、光軸Ｌに垂直な径方向Ｖに移動自在に可動レンズ筒３０の環状板部３３等に保持されており、フォロワピン３１を貫通する貫通孔３４に摺動自在に嵌め込まれてフォロワピン３１の先端から径方向Ｖ外向きに移動して突出し得る突出ピン部６２ａ、突出ピン部６２ａの径方向Ｖ内側において二又状に分岐して環状板部３３の平面部３３ａに摺動自在に接する二又摺動部６２ｂ、光軸Ｌに対して所定角度で傾斜するように二又摺動部６２ｂ（の側壁部）に形成されると共に可動ロッド６３の連結ピン部６３ｃを連結する２つの長孔６２ｃ等を備えている。
そして、スライドレバー６２は、突出ピン部６２ａの先端部がカム溝１３の溝底１３ａに対向する位置（可動レンズ筒３０が沈胴位置〜遠景撮影位置〜近景撮影位置の範囲）にあるとき、第１付勢バネ６５の付勢力により径方向Ｖ外向きに移動して、図１０（ａ），（ｂ）に示すようにフォロワピン３１の先端から突出した状態となり、一方、突出ピン部６２ａの先端部がカム溝１３の係合部１３ｂに係合する位置（可動レンズ筒３０がマクロ撮影位置）にあるとき、第１付勢バネ６５の付勢力に抗して、図１１（ａ），（ｂ）に示すようにフォロワピン３１の先端から径方向Ｖ内向きに押し込まれた状態となる。
【００２２】
可動ロッド６３は、図８ないし図１１に示すように、光軸Ｌ方向（光軸Ｌに平行な方向Ｈ）に移動自在に可動レンズ筒３０の環状板部３３に保持されており、光軸Ｌと平行な方向Ｈに伸長するガイド孔３５に摺動自在に嵌合されるロッド部６３ａ、ロッド部６３ａよりも拡径して形成され環状板部３３の当接部３３ｂに離脱可能に当接する頭部６３ｂ、頭部６３ｂから光軸Ｌに垂直な方向に突出して二又摺動部６２ｂに形成された２つの長孔６２ｃに挿入されて連結される連結ピン部６３ｃ等を備えている。
そして、可動ロッド６３は、スライドレバー６２（の突出ピン部６２ａ）が径方向Ｖ外向きに突出した状態にあるとき、長孔６２ｃと連結ピン部６３ｃとの係合関係により、図１０（ａ），（ｂ）に示すように光軸Ｌ方向（光軸Ｌに平行な方向Ｈ）の前方に向けて移動して、図１７に示すように揺動アーム６４の被係合部６４ｃに当接して第２付勢バネ６６の付勢力に抗しつつ揺動アーム６４に回転力を及ぼし、一方、スライドレバー６２（の突出ピン部６２ａ）が径方向Ｖ内向きに移動した状態にあるとき、長孔６２ｃと連結ピン部６３ｃとの係合関係により、図１１（ａ），（ｂ）に示すように光軸Ｌ方向（光軸Ｌに平行な方向Ｈ）の後方に向けて移動して、図１９に示すように揺動アーム６４の被係合部６４ｃから離脱するようになっている。
【００２３】
揺動アーム６４は、図７、図１４、図１５、図１６ないし図１９に示すように、支軸４１ｉが通される円孔６４ａ、可動ロッド６３が係合して回転力が及ぼされる被係合部６４ｂ、絞り羽根６１の長孔６１ｂに挿入されて連結される連結ピン部６４ｃを備えている。
そして、揺動アーム６４は、光軸Ｌに平行な軸線（支軸４１ｉ）回りに回動自在に保持され、スライドレバー６２が第１付勢バネ６５の付勢力により径方向Ｖ外向きに移動した状態で可動ロッド６３が光軸Ｌ方向の前方に移動して被係合部６４ｂに係合し回転力が及ぼされることにより、第２付勢バネ６６の付勢力に抗しつつ絞り羽根６１を非絞り位置に位置付け、一方、スライドレバー６２が第１付勢バネ６５の付勢力に抗しつつ径方向Ｖ内向きに移動して可動ロッド６３が光軸Ｌ方向の後方に移動して被係合部６４ｂから離脱することにより、第２付勢バネ６６の付勢力で絞り羽根６１を絞り位置に位置付けるようになっている。
【００２４】
第１付勢バネ６５は、図１０及び図１１に示すように、可動レンズ筒３０の環状板部３３の一部に保持された捩り式のバネであり、その一端部６５ａが可動ロッド６３の頭部６３ｂに掛止され、その他端部６５ｂが環状板部３３の一部に掛止されている。
そして、第１付勢バネ６５は、可動ロッド６３を光軸Ｌ方向の前方に向けて移動させる付勢力を及ぼし、すなわち、スライドレバー６２を径方向Ｖ外向きに移動させる付勢力を及ぼすことで、スライドレバー６２及び可動ロッド６３のガタツキを防止できるようになっている。
【００２５】
第２付勢バネ６６は、図１４及び図１５に示すように、地板４１の取付け部４１ｋに保持された捩り式のバネであり、その一端部６６ａが揺動アーム６４の（被係合部６４ｂ側の）一部に掛止され、その他端部６６ｂが地板４１の一部に掛止されている。
そして、第２付勢バネ６６は、揺動アーム６４を図１４及び図１５中において反時計回りに回転させる、すなわち、絞り羽根６１を絞り位置に向けて移動させる付勢力を及ぼすことで、揺動アーム６４及び絞り羽根６１のガタツキを防止できるようになっている。
【００２６】
上記構成においては、スライドレバー６２、可動ロッド６３、揺動アーム６４、第１付勢バネ６５、第２付勢バネ６６により、カム筒１０により可動レンズ筒３０が光軸Ｌ方向に移動させられてマクロ撮影位置に位置付けられる動作に連動して、絞り羽根６１を絞り位置に位置付ける連動機構Ｍが構成されている。
このように、絞り機構６０は、カム筒１０により可動レンズ筒３０が光軸Ｌ方向に移動させられてマクロ撮影位置に位置付けられる動作に連動して、絞り羽根６１を絞り位置に位置付ける連動機構Ｍを含むため、専用の駆動源等が不要であり、構造の簡素化、部品点数の削減、小型化、低コスト化等を達成でき、又、機械的な連動関係により、可動レンズ筒３０のマクロ撮影位置への移動に連動させて絞り羽根６１を絞り位置へ確実に移動させて位置付けることができ、それ故に、至近距離でのマクロ撮影時に被写界深度を深くして鮮明な撮影画像を得ることができる。
また、スライドレバー６２及び可動ロッド６３は第１付勢バネ６５により常時付勢され、又、揺動アーム６４及び絞り羽根６１は第２付勢バネ６６により常時付勢されているため、通常の撮影（近景撮影〜遠景撮影）及び至近距離でのマクロ撮影の全撮影領域において、それらのガタツキを防止することができ、又、絞り羽根６１の位置ずれを防止できるが故に高精度な撮影画像を得ることができる。
【００２７】
次に、上記構成をなすレンズ駆動装置及び絞り機構６０の動作について説明する。
先ず、カメラの休止状態において、レンズ駆動装置は、図２に示すように沈胴位置に位置している。このとき、図１６及び図１７に示すように、スライドレバー６２の突出ピン部６２ａは、カム溝１３の溝底１３ａに対向しているため、スライドレバー６２は第１付勢バネ６５の付勢力により径方向Ｖ外向きに移動した状態にあり、可動ロッド６３は光軸Ｌ方向の前方に移動して揺動アーム６４の被係合部６４ｂに係合して回転力を及ぼし、揺動アーム６４は第２付勢バネ６６の付勢力に抗しつつ回転して、絞り羽根６１を非絞り位置に位置付けている。
【００２８】
続いて、カメラの撮影モードが選択されて、レンズ駆動装置は沈胴位置から光軸Ｌ方向に繰り出すと遠景撮影モードに移行し、さらに光軸Ｌ方向に繰り出すと近景撮影モードに移行し、図３に示すようにさらに光軸Ｌ方向に繰り出すとマクロ撮影モードに移行する。
このマクロ撮影時においては、可動レンズ筒３０がカム筒１０のカム作用により光軸Ｌ方向に移動させられてマクロ撮影位置に位置付けられる動作に連動して、絞り羽根６１が絞り位置に位置付けられて開口部４２ａ（４１ａ，４３ａ）を所定の口径に絞る。
すなわち、図１８及び図１９に示すように、カム筒１０の一つのカム溝１３の溝底１３ａに形成された係合部１３ｂがスライドレバー６２の突出ピン部６２ａを径方向Ｖ内向きに押して移動させることで、可動ロッド６３が揺動アーム６４から離脱して、絞り羽根６１が第２付勢バネ６６の付勢力により絞り位置に位置付けられる。
【００２９】
このように、スライドレバー６２に駆動力を及ぼす係合部１３ｂを、カム筒１０のカム溝１３の一つに形成したことにより、カム筒１０に特別な構造を追加することなく、可動レンズ筒３０の光軸Ｌ方向への移動動作と絞り羽根６１の絞り動作を連動させることができる。また、スライドレバー６２の突出ピン部６２ａを一つのフォロワピン３１の貫通孔３４に通す形態としたことにより、可動レンズ筒３０に対してフォロワピン３１以外に特別な突出物を形成する必要が無く、従来の可動レンズ筒と同様の形態を採用することができる。
また、スライドレバー６２及び可動ロッド６３は第１付勢バネ６５により常時付勢され、揺動アーム６４及び絞り羽根６１は第２付勢バネ６６により常時付勢されているため、通常の撮影（近景撮影〜遠景撮影）及び至近距離でのマクロ撮影の全撮影領域において、それらのガタツキを防止することができ、又、絞り羽根６１の位置ずれを防止できるが故に高精度な撮影画像を得ることができる。
【００３０】
上記実施形態においては、連動機構Ｍが、スライドレバー６２、可動ロッド６３、揺動アーム６４の他に、第１付勢バネ６５及び第２付勢バネ６６を含む構成を示したが、これに限定されるものではなく、第１付勢バネ６５及び第２付勢バネ６６を廃止して、スライドレバーとカム筒との係合関係及び揺動アームと可動ロッドとの係合関係を変更することにより、前述実施形態と同様に、可動レンズ筒３０の光軸Ｌ方向への移動に連動させて絞り羽根６１を絞り位置と非絞り位置との間で移動させる構成とすることも可能である。
上記実施形態においては、スライドレバー６２がフォロワピン３１の貫通孔３４に通される突出ピン部６２ａを有する構成を採用した場合を示したが、これに限定されるものではなく、フォロワピン３１とは別個の位置にスライドレバーを設け、カム筒に対してカム溝１３とは別個の位置にスライドレバーに係合する係合部を設けてもよい。
【００３１】
上記実施形態においては、連動機構Ｍとして、スライドレバー６２、可動ロッド６３、揺動アーム６４、第１付勢バネ６５、及び第２付勢バネ６６を含む構成を示したが、これに限定されるものではなく、マクロ撮影時において、カム筒により可動レンズ筒が光軸方向に移動させられてマクロ撮影位置に位置付けられる動作に連動して絞り羽根を絞り位置に位置付けるものであれば、その他の構成をなす連動機構を採用することができる。
上記実施形態においては、レンズ駆動装置として、固定筒１、回転筒２、駆動源３、第１キー筒４を含む構成を示したが、これに限定されるものではなく、カメラ本体の円筒支持部に対してカム筒及び第２キー筒を直接取り付け、カム筒に対して回転駆動力を直接及ぼす構成を採用してもよい。
【産業上の利用可能性】
【００３２】
以上述べたように、本発明に係るレンズ駆動装置は、構造の簡素化、部品点数の削減、低コスト化等を達成しつつ、マクロ撮影時において可動レンズ筒の移動に連動させて絞り動作を行うことで鮮明なマクロ撮影を行うことができるため、単焦点式のカメラに限らず、絞り機構を搭載するその他のカメラ、光学機器等においても有用である。
【符号の説明】
【００３３】
Ｌ  光軸
１  固定筒
１ａ  ヘリコイド
１ｂ  ガイド溝
１ｃ  開口部
２  回転筒
２ａ  歯付ヘリコイド
２ｂ  ガイド溝
３  駆動源
３ａ  駆動歯車
４  第１キー筒
４ａ  係合片
４ｂ  ヘリコイド
４ｃ  ガイド溝
４ｄ  傾斜長孔
１０  カム筒
１１  ヘリコイド
１２  突出ピン
１３  カム溝
１３ａ  溝底
１３ｂ  係合部
２０  第２キー筒
２１  ガイド長孔
２２  係合片
３０  可動レンズ筒
３１  フォロワピン
３２  拡径部
３３  環状板部
３３ａ  平面部
３３ｂ  当接部
３４  貫通孔
３５  ガイド孔
３６  ネジ孔
Ｕ  絞り・シャッタユニット
Ｇ１，Ｇ２  レンズ
４０  ベース
４１  地板
４１ａ  開口部
４１ｂ  レンズ保持部
４１ｃ  貫通孔
４１ｄ  取付け部
４１ｅ  長孔
４１ｆ，４１ｇ，４１ｈ，４１ｉ  支軸
４１ｊ  貫通孔
４１ｋ  取付け部
４１ｍ  ボス部
４２  中間板
４２ａ  開口部
４２ｅ  長孔
４２ｆ，４２ｇ，４２ｈ  円孔
４２ｎ  長孔
４３  カバー板
４３ａ  開口部
４３ｂ  レンズ保持部
４３ｃ  ネジ孔
５０  シャッタ機構
５１，５２  シャッタ羽根
５１ａ，５２ａ  円孔
５１ｂ，５２ｂ  長孔
５３  連結レバー
５３ａ  円孔
５３ｂ  連結孔
５３ｃ  連結ピン部
５４  駆動源
５４ａ  駆動ピン
６０  絞り機構
６１  絞り羽根
Ｍ  連動機構
６２  スライドレバー
６２ａ  突出ピン部
Ｖ  光軸に垂直な径方向
６２ｂ  二又摺動部
６２ｃ  長孔
６３  可動ロッド
Ｈ  光軸に平行な方向
６３ａ  ロッド部
６３ｂ  頭部
６３ｃ  連結ピン部
６４  揺動アーム
６４ａ  円孔
６４ｂ  被係合部
６４ｃ  連結ピン部
６５  第１付勢バネ
６５ａ  一端部
６５ｂ  他端部
６６  第２付勢バネ
６６ａ  一端部
６６ｂ  他端部
【図１】
2014119582.tif 000003
【図２】
2014119582.tif 000004
【図３】
2014119582.tif 000005
【図４】
2014119582.tif 000006
【図５】
2014119582.tif 000007
【図６】
2014119582.tif 000008
【図７】
2014119582.tif 000009
【図８】
2014119582.tif 000010
【図９】
2014119582.tif 000011
【図１０】
2014119582.tif 000012
【図１１】
2014119582.tif 000013
【図１２】
2014119582.tif 000014
【図１３】
2014119582.tif 000015
【図１４】
2014119582.tif 000016
【図１５】
2014119582.tif 000017
【図１６】
2014119582.tif 000018
【図１７】
2014119582.tif 000019
【図１８】
2014119582.tif 000020
【図１９】
2014119582.tif 000021